(57)【要約】【課題】鋳造品等の成形品を摺動型から離型することを容易にする。【解決手段】摺動型１２に組み込まれた離型装置１０は、支持盤２２と、該支持盤２２に支持され且つ摺動型１２の挿通孔２８に通された押出ピン２６とを有する。一方、摺動型１２には案内部材３２が設けられ、支持盤２２と案内部材３２の間には、コイルスプリング４４が挟持される。摺動型１２が後退するときは、コイルスプリング４４が伸張することで支持盤２２及び押出ピン２６の位置が保たれるので、押出ピン２６が摺動型１２から突出する。この突出した押出ピン２６により成形品である鋳造品５２が押圧され、該鋳造品５２の摺動型１２からの離型が促進される。【選択図】図４
2015016479.tif 000002
【特許請求の範囲】
【請求項１】
金型成形装置を構成する摺動型に設けられ、型開き時に成形品を離型させる離型装置であって、
成形品に押圧力を付与する押出ピンと、
前記押出ピンを支持する支持盤と、
前記摺動型に設けられ、該摺動型が変位することに追従して変位する前記支持盤を案内する案内部材と、
前記支持盤と前記案内部材とで挟持され、前記押出ピンを前記成形品に指向して弾発付勢するための弾発部材と、
型締めの際に前記摺動型が所定距離で変位したとき、前記支持盤が変位することを規制するストッパと、
を備えることを特徴とする離型装置。
【請求項２】
請求項１記載の離型装置において、前記ストッパが、型締めの際に前記摺動型が進入する固定型又は可動型に設けられたサイドキーであることを特徴とする離型装置。
【請求項３】
請求項１又は２記載の離型装置において、鋳造加工装置に設けられて鋳造品を離型させるものであることを特徴とする離型装置。
【発明の詳細な説明】
【技術分野】
【０００１】
本発明は、型開き時に成形品を離型させる離型装置に関する。
【背景技術】
【０００２】
鋳造加工装置においては、鋳造品を金型から離型させるための押出ピンが設けられる。ここで、鋳造品は、キャビティで固化した溶湯からなる製品部と、例えば、湯口からキャビティに至るランナで固化した溶湯からなる方案部とを有する。特許文献１においては、製品部と方案部をバランスよく離型させるべく、方案部を押し出す押出ピンを含む押し出し機構が提案されている。
【０００３】
鋳造加工装置は、位置決め固定された固定型と、該固定型に対して接近又は離間する可動型と、これら固定型及び可動型とともにキャビティを形成する摺動型とを備えることが一般的である。特許文献１記載の押し出し機構は、この中の固定型に設けられ、可動型側に向かって鋳造品を押圧するものである。
【先行技術文献】
【特許文献】
【０００４】
【特許文献１】特開２００７−８３２７３号公報
【発明の概要】
【発明が解決しようとする課題】
【０００５】
鋳造品が多面体である場合、該鋳造品の離型抵抗は面によって相違する。すなわち、ある面の離型抵抗は大であり、別のある面の離型抵抗は小である。
【０００６】
このような場合、押出ピンは、離型抵抗が大きな面を押し出し可能となるように配設することが望ましい。例えば、摺動型に臨む面の離型抵抗が大きなときには、摺動型に押出ピンを設けることが好ましい。
【０００７】
しかしながら、摺動型のキャビティに臨む面は、略全てが成形面である。固定型や可動型には、例えば、互いが当接する面（型合わせ面）等にリターンピンを設ける余地があるが、摺動型にはそのようなスペースがない。
【０００８】
以上のように、摺動型に押出ピンを設けることが好ましい場合であっても、実際にはそのようにすることは困難である。
【０００９】
本発明は上記した問題を解決するためになされたもので、摺動型に対してコンパクトに設けることが可能な離型装置を提供することを目的とする。
【課題を解決するための手段】
【００１０】
前記の目的を達成するために、本発明は、金型成形装置を構成する摺動型に設けられ、型開き時に成形品を離型させる離型装置であって、
成形品に押圧力を付与する押出ピンと、
前記押出ピンを支持する支持盤と、
前記摺動型に設けられ、該摺動型が変位することに追従して変位する前記支持盤を案内する案内部材と、
前記支持盤と前記案内部材とで挟持され、前記押出ピンを前記成形品に指向して弾発付勢するための弾発部材と、
型締めの際に前記摺動型が所定距離で変位したとき、前記支持盤が変位することを規制するストッパと、
を備えることを特徴とする。
【００１１】
このように構成された離型装置が組み込まれた摺動型では、型開きの際に摺動型が後退するとき、弾発部材によって支持盤及び押出ピンの位置が保たれる。このため、後退する摺動型から押出ピンが突出することになる。この突出した押出ピンが成形品を押圧することにより、成形品の摺動型からの離型が促進される。
【００１２】
しかも、この離型装置は、案内部材と弾発部材を介して摺動型に支持盤をフローティング支持することで、簡素に且つコンパクトに構成することができる。すなわち、本発明によれば、離型装置の小型化を図りながら、成形品の離型を容易にすることができる。
【００１３】
前記ストッパは、例えば、型締めの際に前記摺動型が進入する固定型又は可動型に設けられたサイドキーで構成するようにしてもよい。この場合、既存の部材をストッパとして機能させることができるので、ストッパを新たに設ける必要がない。このため、離型装置を一層簡素に構成することができる。
【００１４】
なお、離型装置を組み入れる金型成形装置の好適な例としては、成形品（鋳造品）の離型抵抗が大きな鋳造加工装置を挙げることができるが、該離型装置は、離型抵抗が小さな金型成形装置であっても適用することが可能である。すなわち、例えば、射出成形装置や鍛造加工装置等であってもよい。
【発明の効果】
【００１５】
本発明によれば、型開きの際に摺動型が後退するとき、弾発部材によって支持盤及び押出ピンの位置が保たれる。すなわち、押出ピンが変位しない状態で摺動型が後退する。その結果として、後退する摺動型から押出ピンが突出し、この突出した押出ピンが成形品を押圧する。この押圧により、成形品の摺動型からの離型が促進される。
【００１６】
しかも、案内部材と弾発部材を介して摺動型に支持盤をフローティング支持するという簡素な構成により、該離型装置をコンパクトに構成することが可能となる。
【図面の簡単な説明】
【００１７】
【図１】本実施の形態に係る離型装置が組み込まれた摺動型の概略縦断面図である。
【図２】図１に続き、摺動型と、前記離型装置を構成する支持盤とが型締め方向（矢印Ｘ１方向）に変位した状態を示す概略縦断面図である。
【図３】図２に続き、前記支持盤がサイドキー（ストッパ）によって堰止されるとともに、前記摺動型が前進端に到達した状態を示す概略縦断面図である。
【図４】図３から型開きが行われる最中、前記離型装置を構成する押出ピンで鋳造品（成形品）が押圧された状態を示す概略縦断面図である。
【図５】型開きが進行し、前記押出ピンが鋳造品から離間した状態を示す概略縦断面図である。
【発明を実施するための形態】
【００１８】
以下、本発明に係る離型装置につき好適な実施の形態を挙げ、添付の図面を参照して詳細に説明する。
【００１９】
図１は、本実施の形態に係る離型装置１０が組み込まれた摺動型１２の概略縦断面図である。この摺動型１２は、金型成形装置（図示せず）を構成する可動型１４と固定型（図示せず）とともにキャビティ１６を形成する。
【００２０】
摺動型１２には、油圧シリンダ１８のロッド２０が連結される。油圧シリンダ１８が付勢されてロッド２０が図１中の矢印Ｘ１方向に前進動作することに伴い、型締めがなされる。一方、型開きを行う際には、ロッド２０は図１中の矢印Ｘ２方向に後退動作する。
【００２１】
離型装置１０は、摺動型１２の型開き側（背面側）に設けられる支持盤２２を有する。該支持盤２２の略中心部には、前記ロッド２０を通すための切欠が形成される。
【００２２】
この支持盤２２に形成された有底の圧入穴２４には、押出ピン２６が圧入される。換言すれば、押出ピン２６は、圧入穴２４に圧入されることで支持盤２２に支持されている。押出ピン２６は、例えば、正三角形の頂点位置となるように３本設けられる。図１には、その中の２本が示されている。
【００２３】
押出ピン２６は、摺動型１２に貫通形成された挿通孔２８に通され、型締めがなされている途中では、摺動型１２の先端面からキャビティ１６側に向かって突出している。
【００２４】
摺動型１２の背面側にはネジ穴３０が形成され、該ネジ穴３０には、案内部材３２のスペーサ部３４の先端に突出形成されたネジ部３６が螺合される。この螺合により、案内部材３２が摺動型１２の背面側に設けられる。
【００２５】
スペーサ部３４の長手方向寸法は、摺動型１２と支持盤２２との離間距離に相当する。従って、スペーサ部３４の長手方向寸法が相違するものに交換することにより、摺動型１２と支持盤２２との離間距離を種々変更することができる。これにより、押出ピン２６の突出長さを変更することが可能である。
【００２６】
スペーサ部３４には、該スペーサ部３４に比して小径の案内ロッド部３８が連なる。案内ロッド部３８は、支持盤２２に形成された挿入孔４０に通され、支持盤２２の背面側に突出している。
【００２７】
案内ロッド部３８の先端には、案内ロッド部３８に比して大径な頭部４２が設けられる。案内ロッド部３８はコイルスプリング４４（弾発部材）の中空部に通されており、該コイルスプリング４４の一端部は頭部４２に着座する。また、他端部は支持盤２２に着座している。支持盤２２は、このコイルスプリング４４により、可動型１４側に弾発付勢されている。
【００２８】
摺動型１２が進入する可動型１４には、２個のサイドキー４６が設けられている。後述するように、サイドキー４６は、支持盤２２のそれ以上の前進を阻止するストッパとして機能する。
【００２９】
本実施の形態に係る離型装置１０は、基本的には以上のように構成されるものであり、次に、その作用効果について説明する。
【００３０】
型締めを行う際には、例えば、前記固定型に対して可動型１４を接近させ、互いの型合わせ面同士を当接させる。次に、油圧シリンダ１８を付勢してロッド２０を図１中の矢印Ｘ１方向（型締め方向）に前進させ、これにより、摺動型１２を前進させる。
【００３１】
上記したように、摺動型１２の背面側には、ネジ穴３０にネジ部３６が螺合されることで案内部材３２が設けられている。従って、案内部材３２は、摺動型１２に追従して変位する。
【００３２】
ここで、案内部材３２の案内ロッド部３８が通されたコイルスプリング４４は、該案内部材３２の頭部４２と支持盤２２に挟まれている。このため、案内部材３２が変位するとコイルスプリング４４も変位し、その結果、支持盤２２がコイルスプリング４４によって押圧され、案内部材３２に案内されながら変位する。すなわち、支持盤２２が摺動型１２に追従して変位する。
【００３３】
摺動型１２が所定距離だけ変位すると、図２に示すように、支持盤２２がサイドキー４６に当接する。この当接により支持盤２２が堰止され、結局、支持盤２２のそれ以上の前進（変位）が阻止される。
【００３４】
その一方で、ロッド２０の前進動作が継続される。このため、摺動型１２及び案内部材３２が一層変位する。この際、案内ロッド部３８が挿入孔４０内を摺動するとともに、前進する頭部４２によってコイルスプリング４４が圧縮される。また、押出ピン２６が挿通孔２８内を摺動する。
【００３５】
最終的に、図３に示すように摺動型１２が前進端に位置し、これによりキャビティ１６が形成される。この際、押出ピン２６の先端面は、摺動型１２の成形面に対して略面一となる。
【００３６】
次に、このキャビティ１６に溶湯５０が導入されて鋳造が行われる。型締めが維持された状態で溶湯５０が冷却固化することにより、成形品としての鋳造品５２が得られる。鋳造品５２は、キャビティ１６の形状に対応する形状の成形部を有する。なお、本実施の形態において、鋳造品５２の離型抵抗は、可動型１４の成形面に臨む面よりも、摺動型１２の成形面に臨む面の方が大きい。
【００３７】
次に、鋳造品５２を取り出すべく型開きが行われる。すなわち、摺動型１２を矢印Ｘ２方向（型開き方向）に変位させるべく、油圧シリンダ１８の作用下にロッド２０が矢印Ｘ２方向に向かって後退する。この後退の際、コイルスプリング４４が伸張し、これにより、支持盤２２がサイドキー４６に当接した状態が維持される。このため、押出ピン２６が変位することもない。すなわち、摺動型１２のみが押出ピン２６に対して相対的に後退し、その結果、図４に示すように、押出ピン２６の先端が摺動型１２の成形面から突出する。突出した押出ピン２６の先端は、鋳造品５２を押圧する。
【００３８】
摺動型１２に臨む側の面の離型抵抗が可動型１４の成形面に臨む面に比して大きい場合、押出ピン２６が存在しないときには、鋳造品５２が摺動型１２に付着して追従変位することがある。このように離型抵抗が大きな場合であっても、摺動型１２の成形面から押出ピン２６が突出するため、図４及び図５に示すように、鋳造品５２を摺動型１２から容易に離型させることができる。
【００３９】
このように、本実施の形態に係る離型装置１０によれば、摺動型１２の成形面に臨む面の離型抵抗が大きな鋳造品５２であっても、摺動型１２から離型させることが容易である。しかも、該離型装置１０は、摺動型１２に設けられる程度にコンパクトである。すなわち、小型化を図りながら鋳造品５２の離型を容易にすることが可能である。
【００４０】
伸張したコイルスプリング４４により、支持盤２２がスペーサ部３４に当接する。該支持盤２２は、その後、図５に示すように、摺動型１２の型開き動作に伴って一体的に後退する。これに追従して、押出ピン２６が摺動型１２に対して相対的に後退する。
【００４１】
本発明は、上記した実施の形態に特に限定されるものではなく、本発明の要旨を逸脱しない範囲で種々の変更が可能である。
【００４２】
例えば、金型成形装置は、溶融樹脂から樹脂成形品を得る射出成形装置であってもよい。又は、鍛造加工装置であってもよい。
【００４３】
また、この実施の形態では、可動型１４に進入する摺動型１２に離型装置１０を設けた場合を例示しているが、固定型に進入する摺動型に離型装置１０を設けるようにしてもよいことは勿論である。
【符号の説明】
【００４４】
１０…離型装置                          １２…摺動型
１４…可動型                            １６…キャビティ
１８…油圧シリンダ                      ２０…ロッド
２２…支持盤                            ２６…押出ピン
３２…案内部材                          ３４…スペーサ部
３８…案内ロッド部                      ４２…頭部
４４…コイルスプリング                  ４６…サイドキー
５０…溶湯                              ５２…鋳造品
【図１】
2015016479.tif 000003
【図２】
2015016479.tif 000004
【図３】
2015016479.tif 000005
【図４】
2015016479.tif 000006
【図５】
2015016479.tif 000007